(57)【要約】【課題】縫製工程が少なくて容易に製造でき、バック片の上下端部が薄く仕上がって違和感を与えにくく、該上下端部の締め付け力を調整しやすく、デザイン上の自由度が高いブラジャーを提供すること。【解決手段】端縁にほつれ止めのヘム加工を施した伸縮性編地より成るバック片３を有し、バック片３の上下端の一方を、伸縮性編地のヘム加工を施した端縁で形成し、他方の端部の裏面に伸縮生地６を接着及び熱圧着により接合してある。【選択図】　　　図１
2004076180.tif 000002
【特許請求の範囲】
【請求項１】
端縁にほつれ止めのヘム加工を施した伸縮性編地より成るバック片を有し、前記バック片の上下端の一方を、前記編地のヘム加工を施した端縁で形成し、他方の端部の裏面に伸縮生地を接着及び熱圧着により接合したことを特徴とするブラジャー。
【請求項２】
前記バック片の一方の端部に、バック片中央部よりも締め付け力が大きく、且つ、ヘム加工を施した端縁に向かって複数段階に亘り次第に締め付け力が大きくなるよう編成したパワー切換部を形成した請求項１に記載のブラジャー。
【発明の詳細な説明】
【０００１】
【発明の属する技術分野】
本発明は、ブラジャーに関する。
【０００２】
【従来の技術】
一般的なブラジャーは、左右のカップと、カップの両側から背後に延びるバック片とを備える。バック片は伸縮性編地を裁断して成り、バック片の裏面には上下端縁に沿って伸縮性テープを縫着することにより、ほつれ止めの処理がなされている。
ところが、端始末に用いる伸縮性テープは分厚いので、バック片の上下端部には大きい段差ができてしまい、このため、アウターにひびいて体裁が悪く、ごろついて違和感を与える虞がある。
また、伸縮性テープを縫着するには、上下端縁を直線状に切断しないと加工が面倒なので、デザイン的に制約されてしまい、さらに、伸縮性テープの締め付け力によって肌にくい込みやすいという欠点もある。
【０００３】
そこで、バック片の端部を薄く仕上げるために、端縁にほつれ止めのヘム加工を施した伸縮性編地を、その端縁が上下端のいずれかになるよう裁断してバック片を形成したブラジャーが、特許第３０８９００９号公報、実用新案登録第３０５２２１７号公報等に開示されている。
しかし、上下端の一方をヘム加工端縁とすると、他方はどうしても切断端縁となってしまうので、この切断端縁の裏面には、従来と同様に分厚い伸縮性テープを縫いつけなければならず、このため、違和感や肌への食い込みを十分に防ぐことができなかった。
【０００４】
【発明が解決しようとする課題】
この発明は、縫製工程が少なくて容易に製造でき、上下端部がいずれも薄く仕上がって違和感を与えにくく、上下端部の締め付け力を調整しやすく、デザイン上の自由度が高いブラジャーを提供することを課題とする。
【０００５】
【課題を解決するための手段】
本発明のブラジャーは、端縁にほつれ止めのヘム加工を施した伸縮性編地より成るバック片を有し、前記バック片の上下端の一方を、前記編地のヘム加工を施した端縁で形成し、他方の端部の裏面に伸縮生地を接着及び熱圧着により接合してある。
【０００６】
バック片の上下端の内、一方の端部を一重の伸縮性編地のみで構成し、他方の端部を伸縮性編地に伸縮生地を重合して構成したことにより、伸縮性編地に伸縮性テープを縫いつけた従来のバック片端部と比較して、薄く仕上がって段差が少なく、違和感を与えない。
伸縮性編地に伸縮生地を接着及び熱圧着によって接合した構成により、縫着よりも凹凸が少なくて済み、伸縮生地を取付けた後に切断して、他方の端縁を直線、波形等の任意のラインに形成でき、しかも、切断端縁からのほつれを防ぐことができる。
また、伸縮生地を適宜選択することにより、他方の端部の締め付け力を容易に調整できる。
【０００７】
バック片の一方の端部に、バック片中央部よりも締め付け力が大きく、且つ、ヘム加工を施した端縁に向かって複数段階に亘り次第に締め付け力が大きくなるよう編成したパワー切換部を形成しても良い。
バック片の端部の締め付け力が中央部よりも大きいため補整効果が高く、しかも、端部の締め付け力が一気に強くならないので、バック片の端縁から皮膚がはみ出して隆起し、凹凸ができるのを防止できる。
【０００８】
【発明の実施の形態】
図１は、本発明の第１の実施形態を示すブラジャー１の裏面図である。
ブラジャー１は、左右一対のカップ２と、カップ２の外側縁から背後に延びる一対のバック片３とを備える。
カップ２は、従来周知のものと同様の構造を有するので、詳細な説明は省略する。
【０００９】
バック片３は、編みたて方向に延びる両側端縁にほつれ止めのヘム加工を施した伸縮性編地を素材とし、上縁４がヘム加工をした端縁で形成されるように、伸縮性編地を裁断して成る。
また、伸縮性編地の端部は、編地中央部よりも締め付け力が大きく、且つ、ヘム加工された端縁に向かって複数段階に亘り次第に締め付け力が大きくなるよう編成されている。
従って、バック片３の上端部には、バック片３の中央部より締め付け力が強く、且つ、上縁４に向かって複数段階に亘り次第に締め付け力が強くなるパワー切換部５が形成される。
【００１０】
図に示す例では、パワー切換部５は、バック片３の中央部に近く、締め付け力がやや弱い中パワー部５ａと、上縁４に近く、締め付け力が強い強パワー部５ｂとより成り、２段階で締め付け力を強くしてあるが、３段階で締め付け力を大きくすることもできる。
また、締め付け力を大きくするには、編み糸のデニール数を変える、編み組織を変える等の従来公知の手段を採用できる。
【００１１】
バック片３の下端部裏面には細長い帯状の伸縮生地６が周方向に沿って重合され、接着及び熱圧着によって接合されている。
伸縮生地６は、バック片３と同じ伸縮性編地を用いても良いし、他種類の生地を使用しても良いが、バック片３の裏面に重合される伸縮生地６の締め付け力を変更することにより、バック片３の下端部分の締め付け力を、ブラジャー１のデザインや、対象となる着用者の年齢、体型等に応じて簡単に調整することができる。
【００１２】
伸縮生地６をバック片３へ取り付けるには、伸縮性編地から裁断されたバック片３の裏面に接着剤或いは接着シートを介して伸縮生地６を重ね、次いで、加熱・加圧して両者を接合した後、バック片３及び伸縮生地６の下縁７を波形等の任意の形状に切断する。
このように、バック片３の下端部に伸縮生地６を、接着及び熱圧着を併用して接合すると、選択を繰り返しても伸縮生地６とバック片３とが分離しにくく、接着剤が浸透しているため、切断された下縁７からほつれるのを防止できる。
また、バック片３に対する縫製工程が少なくて済むと共に、下縁７の形状をどのようにも変化させられるので、デザイン的な自由度が増し、しかも、従来の伸縮性テープを縫着したものと比較して薄く仕上がる。
【００１３】
なお、上記実施形態とは逆に、バック片３の下縁７を、伸縮性編地のヘム加工を施した端縁で形成し、バック片３の上端部裏面に伸縮生地６を接着及び熱圧着して接合しても良い。
また、伸縮生地６が重合されたバック片３の端縁を直線等の他の形状に切断することもできるが、波形に切断すると直線状の端縁に比べて肌へ食い込み難くなる。
【００１４】
図２は、本発明の第２の実施形態を示す。
伸縮性の少ないフロントパネル８の左右両側部にカップ２を取り付け、フロントパネル８の両側縁には、背後に延びるバック片３をそれぞれ装着する。
フロントパネル８とバック片３との接合部には、上下方向に沿ってボーン９が配設されている。
バック片３の下縁７は、伸縮性編地のヘム加工が施された端縁によって形成され、バック片３の下端部には、第１の実施形態と同様に、下縁７に向かって複数段階に亘り次第に締め付け力が強くなるよう編成したパワー切換部５が形成される。
【００１５】
また、バック片３の上端部裏面には帯状の伸縮生地６が重合されて、接着及び熱圧着により接合されている。
そして、バック片３の上端部裏面に伸縮生地６を取り付けた後、上縁４を波形に切断する。
なお、第２の実施形態において、バック片３の上縁４を伸縮性編地の端縁で形成し、バック片３の下端部裏面に伸縮生地６を重合し、接着及び熱圧着により接合しても良い。さらに、伸縮生地６を重合したバック片３の端縁を波形以外の形状に切断することも可能である。
その他の構成は、第１の実施形態とほぼ同様である。
【００１６】
【発明の効果】
請求項１に係る発明によれば、伸縮性編地に伸縮性テープを縫いつけた従来のものと比較して、バック片の上下端部が薄く滑らかに仕上がって段差が少なくなり、違和感を与えない。
また、縫製工程が少なくて済むため加工の手間が軽減され、バック片の他方の端縁を直線、波形等の任意のラインに形成でき、しかも、接着及び熱圧着を併用してバック片と伸縮生地を接合してあるため、切断端縁からのほつれを防ぐことができる。
【００１７】
さらに、バック片の中央部に比べて、伸縮生地を重合した他方の端部の締め付け力が大きいので、バック片のずり上がり、他方の端部の捲れ上がり等が抑制され、伸縮生地を適宜選択することにより、他方の端部の締め付け力をデザインや着用者の体型等に応じて容易に調整できる。
請求項２に係る発明によれば、バック片の一方の端部の締め付け力が中央部よりも強いので、補整効果が高まるばかりか、該一方の端部の締め付け力が一気に強くならないため、バック片の端縁からはみ出した皮膚が膨らんで凹凸ができるのを防止できる。
【図面の簡単な説明】
【図１】第１の実施形態を示すブラジャーの裏面図
【図２】第２の実施形態を示すブラジャーの裏面図
【符号の説明】
１　ブラジャー
２　カップ
３　バック片
４　上縁
５　パワー切換部
５ａ　中パワー部
５ｂ　強パワー部
６　伸縮生地
７　下縁
８　フロントパネル
９　ボーン
【図１】
2004076180.tif 000003
【図２】
2004076180.tif 000004